(57)【要約】【課題】従来、温水床暖房ベースボードの放熱管敷設は、自動配管機による繰り出しと押圧機構によって敷設溝内に配管嵌入されるが、嵌入された配管は固定手段のないまま繰り出し駆動が継続されて軌道誤差が発生すると一旦嵌入された配管も敷設溝から外れる可能性があるという問題があった。【解決手段】放熱管敷設溝１１を、逆テーパー構造として開口部からの所定深度における溝内壁の幅径により、敷設配管２の最大管径管腹面部を挟圧固定する嵌入挟圧構造に形成して構成し、自動配管機によって繰り出し配管される放熱管が敷設溝への押圧によって嵌入固定されるように構成した。【選択図】図３
2006090674.tif 000002
【特許請求の範囲】
【請求項１】
床構造配管部を放熱回流する敷設経路パターンに沿ってボードに刻設された放熱管敷設溝に、敷設経路パターンを記憶させた自動配管機によって放熱管を配管敷設する配管敷設方法において、ボードに刻設する敷設溝を逆テーパー構造として開口部からの所定深度における溝内壁の幅径により、敷設配管の最大管径管腹面部を挟圧固定する嵌入挟圧構造に形成して、自動配管機によって繰り出し配管される放熱管が敷設溝に嵌入固定されるように構成し、嵌入された配管の溝内固定により自動配管機の軌道誤差が修正されるようにしたことを特徴とする温水床暖房用放熱配管マットの配管敷設方法
【請求項２】
敷設経路パターンに沿って刻設される放熱管敷設溝を、逆テーパー構造として開口部からの所定深度における溝内壁の幅径により、敷設配管の最大管径管腹面部を挟圧固定する嵌入挟圧構造に形成して構成したベースボードに、放熱管を嵌入敷設したことを特徴とする温水床暖房用放熱配管マット
【請求項３】
放熱管敷設溝の逆テーパー構造部を、敷設溝開口部から敷設配管の半径長さ深度までとし、それ以下の溝内壁の幅径を管径より拡幅すると共に溝底中央に配管支持突起を設けて構成した請求項２記載の温水床暖房用放熱配管マット
【請求項４】
放熱管敷設溝の溝底を迫り出し円弧面に構成した請求項２又は請求項３記載の温水床暖房用放熱配管マット
【請求項５】
放熱管敷設溝の溝底に設定される配管支持突起を、溝底の長さ方向に連続した突条に構成した請求項２又は請求項３記載の温水床暖房用放熱配管マット
【請求項６】
放熱管敷設溝の溝底に設定される配管支持突起を、点状に突設した不連続突起に構成した請求項２又は請求項３記載の温水床暖房用放熱配管マット
【発明の詳細な説明】
【技術分野】
【０００１】
本発明は、新築集合住宅や戸建て住宅などに組み込み設計される温水床暖房に用いられる放熱配管マットの配管敷設方法と、温水床暖房用放熱配管マットに関するものである。
【背景技術】
【０００２】
従来、住居用温水床暖房の放熱配管は、配管経路溝を刻設した発泡スチロール（発泡ポリスチレン重合体）のベースボードに耐熱樹脂を素材とした放熱管を嵌装配管し、その上面に温熱伝導部材（アルミフィルム等）を全面に渡って張設した配管マットを対象室内に敷設し、室内全面にフローリングを固定するフローリング工法が行われてきている。
【０００３】
放熱管には架橋ポリエチレン管やポリブデン管等の耐熱合成樹脂管が用いられるが、その配管敷設については床構造配管部を放熱回流する敷設経路パターンに沿ってボードに刻設された放熱管敷設溝に、敷設経路パターンを記憶させた自動配管機が放熱管敷設溝を辿りながら敷設溝上に放熱管を繰り出し、繰出し部に後続する押圧機構によって敷設溝内に放熱管を押圧嵌装している。
【０００４】
放熱管は発泡スチロールと温熱伝導部材シートの間に挟まれて固定され、放熱管には暖房時に温水が通湯されるが、暖房として如何に早くフローリング面の温度を上昇させ温水の熱効率を高めるかが検討課題となっており、ベースボードの上面に均熱用の表面板を設け、敷設放熱管と均熱用表面板との間に伝熱促進部材を設け、更に、敷設放熱管と敷設溝との間に空気層空間を形成すること（特許文献１）が提案されている。
【０００５】
また、温水の熱効率を高めるため放熱管の外周を熱伝導性のある金属箔によって被覆すること（特許文献２）、放熱管の頂部を床上げ材に確実に密着させて放熱管から床上げ材への熱伝導効率を高めること、敷設溝の底部に溝部に沿って延び且つ放熱管を支持する２本の突起部を形成すること（特許文献３）が提案されている。
【特許文献１】特開２００２−８１６６１号公報
【特許文献２】特開２００３−２８７２３４号公報
【特許文献３】特開２００４−２８５２４号公報
【発明の開示】
【発明が解決しようとする課題】
【０００６】
しかしながら、自動配管機の放熱管繰り出し作動は、配管機本体の動きとベースボードを載置してその放熱管敷設溝を放熱管繰り出し部の位置に合致させるベースフレームの動きとの組合せによって敷設経路パターンに沿う移動駆動が行われる複雑な構成となっているため、敷設溝を外れて放熱管が繰り出されるのを完全に回避するのは極めて困難である。
【０００７】
即ち、従来の自動配管機による繰り出し配管は、押圧機構によって敷設溝内に嵌入されるが、嵌入された配管は固定手段のないまま繰り出し駆動が継続されて軌道誤差が発生すると一旦嵌入された配管も敷設溝から外れる可能性があり、配管の繰り出し敷設駆動は極めて不安定な状態で行われていた。
【０００８】
そのため、敷設溝を外れて放熱管が繰り出されたまま、押圧機構によって放熱管が押圧されると発泡スチロールのベースボードに刻設された敷設溝が破壊されてしまう問題があり、更に、敷設溝の放熱管嵌入部の形状が繊細になる程、押圧機構による嵌入押圧力と敷設溝の破損危険度が増加する問題がある。
【課題を解決するための手段】
【０００９】
本発明は上記した課題に対応しようとするものであり、敷設経路パターンに沿って刻設される放熱管敷設溝を、逆テーパー構造として開口部からの所定深度における溝内壁の幅径により、敷設配管の最大管径管腹面部を挟圧固定する嵌入挟圧構造に形成して構成し、自動配管機によって繰り出し配管される放熱管が敷設溝への押圧によって嵌入固定されるように構成し、固定された配管部の剛性或いは軌道慣性により自動配管機の軌道誤差が修正されるように構成した。
【００１０】
また、放熱管敷設溝の逆テーパー構造部を、敷設溝開口部から敷設配管の半径長さ深度までとし、それ以下の溝内壁の幅径を管径より拡幅すると共に溝底中央部に配管支持突起を設けて構成し、発泡スチロールの敷設溝と敷設配管の間にエアスペースを設けて熱伝導の効率化を図った。
【００１１】
更に、放熱管敷設溝の溝底を迫り出し円弧面に構成して、エアスペース設定のために放熱管径より拡幅した敷設溝下半部における放熱管支持構造を形状的に堅牢で安定した構造として、放熱管の嵌入押圧による敷設溝の破損危険度を減少させるようにした。
【実施例】
【００１２】
以下、本発明の実施例を図面を参照して説明する。１は発泡スチロールで構成されたベースボードで、所定間隔に小根太５の嵌装による補強がなされ、表面には床構造配管部を放熱回流する敷設経路パターンに沿って放熱管敷設溝１１が刻設され、その敷設溝１１に耐熱樹脂を素材とした放熱管２を嵌装配管し、その上面に図２に示すように温熱伝導部材シート３を全面に渡って張設されるようになっている。４はフローリングで配管マットを敷設後に現場でマット上に配設されるものである。
【００１３】
敷設溝１１は、開口部１２からの所定深度位置ａまでを逆テーパー構造として溝内壁の幅径により、敷設配管の最大管径管腹面部を挟圧固定する嵌入挟圧構造に形成されている。従って、深度位置ａより上部の溝径は放熱管２の直径より狭くなっているので、放熱管２が一旦押圧嵌入されると下部からの押上げ力が働かなければ敷設溝１１から外れることがない。
【００１４】
放熱管２の敷設経路パターンは、図１に示すように熱源機構Ａから床構造配管部を放熱回流して再び熱源機構Ａに回流する形態で設定され、これに沿ってベースボード１上に敷設溝１１が刻設されると共に、敷設経路パターンを記憶させた自動配管機（図示しない。）が敷設溝１１を辿りながら敷設溝上に放熱管２を繰り出し、繰出し部に後続する押圧機構によって敷設溝内に放熱管を押圧嵌装していくようになっている。
【００１５】
自動配管機により敷設溝内に押圧嵌装された放熱管は、前記嵌入挟圧構造により挟圧固定されるので、自動配管機に軌道誤差が発生しても敷設溝内から外れることがなく、敷設管２の敷設溝内固定と軌道慣性により自動配管機の軌道誤差が修正される。即ち、自動配管機が事前に記憶された溝パターン通り動き軌道誤差が発生しても、自動配管機の先端部が敷設管２の敷設溝に嵌入する動きに沿って動くことで管２がパターン通り溝に嵌入されて行くのである。
【００１６】
また、敷設溝１１の底部は、図３に示すように迫り出し円弧面１３として構成し、エアスペースｂ設定のために放熱管径と同等及びこれより拡幅した敷設溝下半部における放熱管支持構造を形状的に堅牢で安定した構造とすることにより、放熱管の嵌入押圧による敷設溝の破損危険度を減少させることができる。
【００１７】
図４、５は敷設溝１１の底部に関する他の実施例で、図４は配管支持構造を溝底の長さ方向に連続した突条１４に構成した実施例、図５は配管支持構造を点状に突設した不連続突起１５に構成した実施例を示すものである。
【００１８】
本発明は以上のように構成したので、自動配管機によりベースボード１の敷設溝１１上に繰り出し配管された放熱管を敷設溝内に挟圧固定して安定した配管を行うことができると共に、形状的に堅牢で安定した構造で熱効率を高めるエアスペースの設定にも有利な敷設溝を形成することができたものである。
【図面の簡単な説明】
【００１９】
【図１】本発明の実施例を示すもので、敷設経路パターンに沿って放熱配管された温水床暖房ベースボードの全体平面図
【図２】同じく、フローリング、温熱伝導部材、ベースボードとの関係及び配管敷設溝と放熱配管との関係を示す温水床暖房要部の縦断側面図
【図３】同じく、ベースボードに刻設された配管敷設溝と放熱配管との関係を示す配管敷設溝と放熱配管の拡大縦断面図
【図４】同じく、ベースボードに刻設された配管敷設溝の他の実施例（突条支持構造）による底部の状態を示す配管敷設溝の拡大斜視縦断面図
【図５】同じく、ベースボードに刻設された配管敷設溝の他の実施例（不連続突起支持構造）による底部の状態を示す配管敷設溝の拡大斜視縦断面図
【符号の説明】
【００２０】
１      ベースボード
１１    放熱管敷設溝
１２    放熱管敷設溝の開口部
１３    放熱管敷設溝底部の迫り出し円弧面
１４    放熱管敷設溝底部の長さ方向に連続した突条
１５    放熱管敷設溝底部の点状に突設した不連続突起
２      放熱管
３      温熱伝導部材シート
４      フローリング
５      小根太
ａ      逆テーパー構造深度位置
ｂ      放熱管敷設溝のエアスペース
Ａ      ベースボード上の熱源機構
【図１】
2006090674.tif 000003
【図２】
2006090674.tif 000004
【図３】
2006090674.tif 000005
【図４】
2006090674.tif 000006
【図５】
2006090674.tif 000007